(57)【特許請求の範囲】
【請求項１】
端末装置がユーザからアクセスポイント（ＡＰ）装置の認証キーの入力を受ける段階と；
前記端末装置が前記入力された認証キーを前記端末装置に格納された前記ＡＰ装置の認証キーに基づき検査する段階と；
家電機器が前記端末装置と通信可能な状態に設定される段階と；
前記家電機器と前記端末装置が相互連結される段階と；
前記入力された認証キーが前記端末装置に格納された前記ＡＰ装置の認証キーと同一であると確認されたとき、前記端末装置が前記ＡＰ装置の識別番号及び前記検査された認証キーを前記家電機器に伝送する段階と；
前記家電機器が前記ＡＰ装置の識別番号及び前記認証キーに基づいて前記ＡＰ装置に連結される段階と；
を含む家電機器のネットワーク連結方法。
【請求項２】
前記端末装置が、前記家電機器が前記端末装置と通信可能な状態に設定されるための操作方法を表示する段階；をさらに含むことを特徴とする請求項１に記載の家電機器のネットワーク連結方法。
【請求項３】
前記端末装置が前記端末装置と前記通信可能な状態に設定された家電機器を探索する段階；をさらに含むことを特徴とする請求項１に記載の家電機器のネットワーク連結方法。
【請求項４】
前記家電機器と前記端末装置は、ワイファイダイレクト方式を利用して通信可能であることを特徴とする請求項１に記載の家電機器のネットワーク連結方法。
【請求項５】
前記ＡＰ装置が前記端末装置と連結される段階；をさらに含むことを特徴とする請求項１に記載の家電機器のネットワーク連結方法。
【請求項６】
前記家電機器が前記ＡＰ装置に連結された後、前記ＡＰ装置を介してサーバー装置に接続する段階；をさらに含むことを特徴とする請求項１に記載の家電機器のネットワーク連結方法。
【請求項７】
前記家電機器が前記サーバー装置に接続すると、前記サーバー装置が前記家電機器を前記端末装置と関連したユーザーアカウントに登録する段階；をさらに含むことを特徴とする請求項６に記載の家電機器のネットワーク連結方法。
【請求項８】
前記入力された認証キーを検査する段階は、
前記端末装置が、前記認証キーが前記端末装置に格納された前記ＡＰ装置の前記認証キーと同一であるか否かを判断して前記認証キーを検査する段階；を含むことを特徴とする請求項１に記載の家電機器のネットワーク連結方法。
【請求項９】
前記端末装置は、前記認証キーが認証されるまで前記認証キーの入力を繰り返し受けて検査することを特徴とする請求項８に記載の家電機器のネットワーク連結方法。
【請求項１０】
前記端末装置または前記家電機器がサーバー装置にユーザ認証情報を伝達し、前記サーバー装置は、前記ユーザ認証情報に基づいてユーザ認証を行う段階；をさらに含むことを特徴とする請求項１に記載の家電機器のネットワーク連結方法。
【請求項１１】
前記端末装置は、デスクトップコンピューター、ノートパソコン、スマートフォン（ｓｍａｒｔ  ｐｈｏｎｅ）、セルラーフォン（ｃｅｌｌｕｌａｒ  ｐｈｏｎｅ）、タブレットパソコン（ｔａｂｌｅｔ  ＰＣ）、スマートテレビ、デジタルカメラ、個人用デジタル補助装置（ＰＤＡ、ｐｅｒｓｏｎａｌ  ｄｉｇｉｔａｌ  ａｓｓｉｓｔａｎｔ）、遠隔制御装置（ｒｅｍｏｔｅ  ｃｏｎｔｒｏｌｌｅｒ）及び携帯用ゲーム機器のうち少なくとも１つを含むことを特徴とする請求項１に記載の家電機器のネットワーク連結方法。
【請求項１２】
前記家電機器は、冷蔵庫、洗濯機、テレビ、ラジオ、オーディオ、掃除機、空調装置、家庭用コンピュータ、オーブン、スマートテレビ、デジタルカメラ及びノートパソコンのうち少なくとも１つを含むことを特徴とする請求項１に記載の家電機器のネットワーク連結方法。
【請求項１３】
家電装置であって、
端末装置と通信する状態に設定されることにより前記端末装置に連結され、アクセスポイント（ＡＰ）装置の識別番号及び検査された認証キーを受信する通信部と；
前記ＡＰ装置の前記識別番号及び前記検査された認証キーに基づき前記ＡＰ装置と連結し、前記ＡＰ装置と連結されると、格納されたインターネットプロトコルアドレスを利用して前記ＡＰ装置を介してサーバー装置に接続するように前記通信部を制御するプロセッサと；を含み、
前記通信部は、ユーザにから受信した前記ＡＰ装置の認証キーが端末装置に格納された前記ＡＰ装置の認証キーと同一であると前記端末装置により確認されたときのみ、前記ＡＰ装置の前記検査された認証キーを受信する、家電機器。
【請求項１４】
外部ネットワークと連結されるアクセスポイント（ＡＰ）装置と；
ユーザから前記ＡＰ装置の認証キーを入力される端末装置と；
前記端末装置と通信可能な状態に設定されることにより、前記端末装置と相互連結され、前記端末装置から前記ＡＰ装置の識別番号及び前記認証キーを伝送され、前記識別番号及び前記認証キーに基づいて前記ＡＰ装置に連結される少なくとも１つの家電機器と；を含み、
前記端末装置は、前記端末に格納された前記ＡＰ装置の認証キーに基づき前記入力された認証キーを検査し、前記入力された認証キーが前記端末装置に格納された前記ＡＰ装置の前記認証キーと同一であると確認されたとき、前記検査された認証キーを伝送する、家電機器のネットワーク連結システム。
【請求項１５】
前記端末装置は、前記家電機器が前記端末装置と通信可能な状態に設定されるための操作方法を表示することを特徴とする請求項１４に記載の家電機器のネットワーク連結システム。
【請求項１６】
前記端末装置は、前記端末装置と前記通信可能な状態に設定された家電機器を探索することを特徴とする請求項１４に記載の家電機器のネットワーク連結システム。
【請求項１７】
前記アクセスポイント装置に連結された後、前記家電機器が前記アクセスポイント装置を介して接続するサーバー装置；をさらに含むことを特徴とする請求項１４に記載の家電機器のネットワーク連結システム。
【請求項１８】
前記サーバー装置は、前記家電機器が接続すると、前記家電機器を前記端末装置と関連したユーザーアカウントに登録することを特徴とする請求項１７に記載の家電機器のネットワーク連結システム。
【請求項１９】
前記端末装置または前記家電機器は、前記サーバー装置にユーザ認証情報を伝達し、前記サーバー装置は、前記ユーザ認証情報に基づいてユーザ認証を行うことを特徴とする請求項１７に記載の家電機器のネットワーク連結システム。
【請求項２０】
前記端末装置は、前記入力された認証キーが前記端末装置に格納された前記アクセスポイント装置の前記認証キーと同一であるか否かを判断して前記入力された認証キーを検査し、
前記端末装置は、前記認証キーが認証されるまで前記認証キーの入力を繰り返し受けて検査することを特徴とする請求項１４に記載の家電機器のネットワーク連結システム。
【発明の詳細な説明】
【技術分野】
【０００１】
家電機器のネットワーク連結方法、家電機器のネットワーク連結システム及び家電機器のネットワーク連結設定と関連した装置に関する。
【背景技術】
【０００２】
家電機器（ｈｏｍｅ  ａｐｐｌｉａｎｃｅ）とは、一般的に宅内で使用される電子製品を意味する。家電機器は、冷蔵庫、洗濯機、テレビ、ラジオ、オーディオ、掃除機、空調装置、オーブン、スマートテレビ、デジタルカメラ、家庭用コンピューターまたはノートパソコン等、宅内で使用される多様な種類の電子製品を含むことができる。
【０００３】
近年、家電機器は、マイクロ制御ユニット（ＭＣＵ、ｍｉｃｒｏ  ｃｏｎｔｒｏｌ  ｕｎｉｔ）等のような多様なプロセッサを内蔵していることがある。ここで、マイクロ制御ユニットは、中央処理装置（ＣＰＵ、ｃｅｎｔｒａｌ  ｐｒｏｃｅｓｓｉｎｇ  ｕｎｉｔ）、ラム（ＲＡＭ、ｒａｎｄｏｍ  ａｃｃｅｓｓ  ｍｅｍｏｒｙ）やロム（ＲＯＭ、ｒｅａｄ  ｏｎｌｙｍｅ  ｍｏｒｙ）等の格納装置及び各種ポート等の各種モジュールを１つのチップで具現する制御装置を意味する。家電機器は、このようなプロセッサを利用してユーザに必要な各種情報を提供したり、またはユーザから受領した指示に相当する動作を行うことができる。これによって、家電機器をスマート装置またはスマート機器と称することがある。スマート装置またはスマート機器は、機能が制限されておらず、各種応用プログラムを用いて相当部分の機能を変更及び拡張可能な装置及び機器を意味する。
【発明の概要】
【発明が解決しようとする課題】
【０００４】
ユーザが簡便ながらもエラーなしに家電機器のネットワーク連結を設定できる家電機器のネットワーク連結システム及び家電機器のネットワーク連結方法を提供することを目的とする。
【課題を解決するための手段】
【０００５】
前記目的を達成するために、家電機器のネットワーク連結方法、家電機器のネットワーク連結システム及び家電機器が提供される。
【０００６】
家電機器のネットワーク連結方法は、端末装置がアクセスポイント装置の認証キーの入力を受け、前記端末装置またはアクセスポイント装置が前記認証キーを検査して認証する段階と、家電機器が前記端末装置と通信可能な状態に設定される段階と、前記家電機器と前記端末装置が相互連結され、前記端末装置が前記アクセスポイント装置の識別番号及び前記認証された認証キーを前記家電機器に伝送する段階と、前記家電機器が前記アクセスポイント装置の識別番号及び前記認証キーに基づいて前記アクセスポイント装置に連結される段階とを含むことができる。
【０００７】
家電機器のネットワーク連結方法は、前記端末装置が、前記家電機器が前記前記端末装置と通信可能な状態に設定されるための操作方法を表示する段階をさらに含むことができる。
【０００８】
家電機器のネットワーク連結方法は、前記端末装置が前記端末装置と前記通信可能な状態に設定された家電機器を探索する段階をさらに含むことができる。
【０００９】
前記家電機器と前記端末装置は、ワイファイダイレクト方式を利用して通信できる。
【００１０】
家電機器のネットワーク連結方法は、前記アクセスポイント装置が前記端末装置と連結される段階をさらに含むことができる。
【００１１】
家電機器のネットワーク連結方法は、前記家電機器が前記アクセスポイント装置に連結された後、前記アクセスポイント装置を介してサーバー装置に接続する段階をさらに含むことができる。
【００１２】
この場合、家電機器のネットワーク連結方法は、前記家電機器が前記サーバー装置に接続すると、前記サーバー装置が前記家電機器を前記端末装置と関連したユーザーアカウントに登録する段階をさらに含むことができる。
【００１３】
家電機器のネットワーク連結方法は、前記端末装置が、前記認証キーが前記端末装置に格納された前記アクセスポイント装置の認証キーと同一であるか否かを判断して前記認証キーを検査する段階をさらに含むことができる。
【００１４】
この場合、前記端末装置は、前記認証キーが認証されるまで前記認証キーの入力を繰り返し受けて検査することができる。
【００１５】
家電機器のネットワーク連結方法は、前記端末装置または前記家電機器がサーバー装置にユーザ認証情報を伝達する段階をさらに含むことができ、この場合、前記サーバー装置は、前記ユーザ認証情報に基づいてユーザ認証を行うことができる。
【００１６】
前記第１端末装置は、デスクトップコンピューター、ノートパソコン、スマートフォン（ｓｍａｒｔ  ｐｈｏｎｅ）、セルラーフォン（ｃｅｌｌｕｌａｒ  ｐｈｏｎｅ）、タブレットパソコン（ｔａｂｌｅｔ  ＰＣ）、スマートテレビ、デジタルカメラ、個人用デジタル補助装置（ＰＤＡ、ｐｅｒｓｏｎａｌ  ｄｉｇｉｔａｌ  ａｓｓｉｓｔａｎｔ）、リモートコントロール装置（ｒｅｍｏｔｅ  ｃｏｎｔｒｏｌｌｅｒ）及び携帯用ゲーム機器のうち少なくとも１つを含むことができる。
【００１７】
前記家電機器は、冷蔵庫、洗濯機、テレビ、ラジオ、オーディオ、掃除機、空調装置、家庭用コンピュータ、オーブン、スマートテレビ、デジタルカメラ及びノートパソコンのうち少なくとも１つを含むことができる。
【００１８】
家電機器は、ネットワークに連結され、アクセスポイント装置接続情報を受信する通信部と、前記アクセスポイント装置接続情報を利用してアクセスポイント装置と連結を試み、前記アクセスポイント装置と連結されると、格納されたインターネットプロトコルアドレスを利用して前記アクセスポイント装置を介してサーバー装置に接続するように制御するプロセッサを含むことができる。
【００１９】
前記プロセッサーは、前記サーバー装置に接続すると、前記通信部を介して受信したユーザ認証情報を利用してユーザ認証手続を行うことができる。
【００２０】
前記通信部は、端末装置から前記アクセスポイント装置接続情報を受信し、且つ、前記アクセスポイント装置接続情報は、アクセスポイント装置の識別番号及び前記アクセスポイント装置に対する認証キーのうち少なくとも１つを含むことができる。
【００２１】
前記通信部は、前記サーバー装置に接続するためのサーバー装置接続情報をさらに受信することもできる。
【００２２】
家電機器は、端末装置と通信可能な状態に設定されるための設定部をさらに含むこともできる。
【００２３】
家電機器のネットワーク連結システムは、外部ネットワークと連結されるアクセスポイント装置と、前記アクセスポイント装置の認証キーの入力を受ける端末装置と、前記端末装置と通信可能な状態に設定され、前記第１端末装置と相互連結され、前記第１端末装置から前記アクセスポイント装置の識別番号及び前記認証キーを伝送され、前記識別番号及び前記認証キーに基づいて前記アクセスポイント装置に連結される少なくとも１つの家電機器とを含むことができ、ここで、前記端末装置またはアクセスポイント装置は、前記認証キーを検査して認証できる。
【００２４】
家電機器のネットワーク連結システムは、前記端末装置は前記家電機器が前記前記端末装置と通信可能な状態に設定されるための操作方法を表示できる。
【００２５】
前記第１端末装置は、前記端末装置と前記通信可能な状態に設定された家電機器を探索することができる。
【００２６】
前記家電機器と前記端末装置は、ワイファイダイレクト方式を利用して通信できる。
【００２７】
前記アクセスポイント装置は、前記端末装置と連結され得る。
【００２８】
家電機器のネットワーク連結システムは、前記アクセスポイント装置に連結された後、前記家電機器が前記アクセスポイント装置を介して接続するサーバー装置をさらに含むことができる。
【００２９】
前記サーバー装置は、前記家電機器が接続すると、前記家電機器を前記端末装置と関連したユーザーアカウントに登録することができる。
【００３０】
前記端末装置または前記家電機器は、前記サーバー装置にユーザ認証情報を伝達し、前記サーバー装置は、前記ユーザ認証情報に基づいてユーザ認証を行うことができる。
【００３１】
前記端末装置は、前記認証キーが前記端末装置に格納された前記アクセスポイント装置の認証キーと同一であるか否かを判断して前記認証キーを検査できる。
【００３２】
この場合、前記端末装置は、前記認証キーが認証されるまで前記認証キーの入力を繰り返し受けて検査することができる。
【００３３】
前記端末装置は、デスクトップコンピューター、ノートパソコン、スマートフォン、セルラーフォン、タブレットパソコン、スマートテレビ、デジタルカメラ、個人用デジタル補助装置、リモートコントロール装置及び携帯用ゲーム機器のうち少なくとも１つを含むことができる。
【００３４】
前記家電機器は、冷蔵庫、洗濯機、テレビ、ラジオ、オーディオ、オーブン、スマートテレビ、デジタルカメラ、掃除機、空調装置、家庭用コンピューター及びノートパソコンのうち少なくとも１つを含むことができる。
【発明の効果】
【００３５】
前述したような家電機器のネットワーク連結システム及び家電機器のネットワーク連結方法により、ユーザは、簡便に家電機器のネットワーク連結設定を行うことができ、ユーザの便宜性が改善され得る。
【００３６】
前述したシステム及び方法によれば、家電機器のアクセスポイント装置に接続する過程で発生し得るエラーを防止し、家電機器が安定的にアクセスポイント装置に接続できるという長所が得られる。
【００３７】
また、前述したシステム及び方法によれば、悪意のあるユーザによって家電機器がアクセスポイント装置と連結されることを検証及び防止することができ、家電機器使用の安全性が改善される効果が得られる。
【００３８】
また、ユーザは、他のユーザによってネットワーク連結が設定された家電機器において容易にネットワーク連結設定を行うことができるという長所が得られる。
【図面の簡単な説明】
【００３９】
【図１】家電機器のネットワーク連結システムの一実施例を示す構成図である。
【図２】外部端末装置に家電機器設定方法が表示される過程の一実施例を示す流れ図である。
【図３】家電機器設定途中に外部端末装置に表示され得る画面の一例を示す図である。
【図４】家電機器設定途中に外部端末装置に表示され得る画面の一例を示す図である。
【図５】アクセスポイント装置の選択順位を説明するための図である。
【図６】家電機器設定途中に外部端末装置に表示され得る画面の一例を示す図である。
【図７】家電機器設定途中に外部端末装置に表示され得る画面の一例を示す図である。
【図８】外部端末装置に家電機器設定方法が表示される過程の他の一実施例を示す流れ図である。
【図９】家電機器設定途中に端末装置に表示され得る画面の一例を示す図である。
【図１０】第１端末装置と通信を行う家電機器を第１端末装置に登録する過程の一実施例を示す流れ図である。
【図１１】家電機器とアクセスポイント装置が互いに連結される過程を示す流れ図である。
【図１２】家電機器設定途中に端末装置に表示され得る画面の一例を示す図である。
【図１３】第２端末装置を利用した家電機器のネットワーク連結方法の一実施例を示す流れ図である。
【図１４】第２端末装置を利用した家電機器のネットワーク連結を設定する過程で外部端末装置に表示される画面の一例を示す図である。
【図１５】複数の家電機器のネットワーク連結を設定する過程の一実施例を示す流れ図である。
【図１６】複数の家電機器のネットワーク連結を設定する過程において外部端末装置に表示される画面の一例を示す図である。
【図１７】複数の家電機器のネットワーク連結を設定する過程において外部端末装置に表示される画面の一例を示す図である。
【図１８】複数の家電機器のネットワーク連結を設定する過程において外部端末装置に表示される画面の一例を示す図である。
【図１９】複数の家電機器のネットワーク連結を設定する過程において外部端末装置に表示される画面の一例を示す図である。
【発明を実施するための形態】
【００４０】
以下、図１を参照して家電機器のネットワーク連結システムについて説明する。図１は、家電機器のネットワーク連結システムの一実施例を示す構成図である。図１に示されたように、家電機器のネットワーク連結システムは、少なくとも１つの第１端末機１０、サーバー装置２０、アクセスポイント装置３０及び少なくとも１つの家電機器４０、４０ａを含むことができる。第１端末機１０、サーバー装置２０及びアクセスポイント装置３０は、有線通信ネットワークまたは無線通信ネットワークを介してデータを送信するかまたは受信することができる。例えばサーバー装置２０とアクセスポイント装置３０は、有線通信ネットワークを介して互いにデータを送受信できる。また、第１端末機１０とアクセスポイント装置３０は、互いに無線通信ネットワークを介してデータを送受信できる。少なくとも１つの家電機器４０、４０ａは、第１端末機１０またはアクセスポイント装置３０と互いに無線通信ネットワークを介してデータを送受信できる。
【００４１】
有線通信ネットワークは、導線のような通信媒体を利用して電気的信号を送受信できる通信ネットワークを意味する。有線通信ネットワークの通信媒体としては、装荷ケーブル、同軸ケーブルまたは光ファイバケーブル等多様な手段が適用され得る。無線通信ネットワークは、ケーブル等のような媒体なしに電波を利用して電気的信号を送受信できる通信ネットワークを意味する。
【００４２】
無線通信ネットワークは、多様な方式の無線通信方式を利用して構築されたネットワークであることができる。無線通信ネットワークは、近距離無線通信ネットワーク及び遠距離無線通信ネットワークをすべて含むことができる。無線通信ネットワークは、例えばブルートゥース（Ｂｌｕｅｔｏｏｔｈ（登録商標））方式、ジグビー（Ｚｉｇｂｅｅ（登録商標））通信方式、無線ハート（Ｗｉｒｅｌｅｓｓ  ＨＡＲＴ）通信方式、近接場通信（ＮＦＣ、ｎｅａｒ  ｆｉｅｌｄ  ｃｏｍｍｕｎｉｃａｔｉｏｎ）方式、ワイファイ（Ｗｉ−Ｆｉ）方式、ワイファイダイレクト（Ｗｉ−Ｆｉ  ｄｉｒｅｃｔ）通信方式、ＧＳＭ（登録商標）／３ＧＰＰ系列の通信方式（ＧＳＭ、ＨＳＤＰＡ、ＬＴＥアドバンスト）、３ＧＰＰ２系列の通信方式（ＣＤＭＡ等）またはワイマックス系列の通信方式（ワイブロ等）等多様な通信方式を利用してデータを無線で伝送できる。
【００４３】
第１端末装置１０は、ユーザから認証キーの入力を受けることができる。第１端末装置１０が入力を受ける認証キーは、文字、数字及び各種記号のうち少なくとも１つよりなる一連の番号であることができる。一連の番号は、パスワードであることができる。また、認証キーは、公認認証書のような電子情報であってもよい。第１端末装置１０は、必要に応じて入力を受けた認証キーを検査して認証できる。例えば、第１端末装置１０は、ユーザから入力を受けた認証キーが前もって入力された認証キーと一致するかまたはあらかじめ定義された値と同一であるか否かを判断し、入力を受けた認証キーが正確であるかを認証できる。必要に応じて第１端末装置１０は、認証キーの認証が完了するまで認証キーの入力をユーザから繰り返し受けてもよい。
【００４４】
第１端末装置１０は、デスクトップコンピューター、ノートパソコン、スマートフォン（ｓｍａｒｔｐ  ｈｏｎｅ）、セルラーフォン（ｃｅｌｌｕｌａｒ  ｐｈｏｎｅ）、タブレットパソコン（ｔａｂｌｅｔ  ＰＣ）、スマートテレビ、デジタルカメラ、個人用デジタル補助装置（ＰＤＡ、ｐｅｒｓｏｎａｌ  ｄｉｇｉｔａｌ  ａｓｓｉｓｔａｎｔ）、遠隔制御装置（リモコン、ｒｅｍｏｔｅ  ｃｏｎｔｒｏｌｌｅｒ）及び携帯用ゲーム機器のうち少なくとも１つを含むことができる。その他、第１端末装置１０は、所定の有線通信ネットワークまたは無線通信ネットワークを利用して外部の他の装置とデータを送受信できる多様な装置を含むこともできる。第１端末装置１０は、このような通信のために通信モジュールが設置されていてもよい。通信モジュールは、無線通信の場合、アンテナ及び無線通信チップを含むことができる。通信モジュールは、有線通信の場合、有線通信用ケーブル及び有線通信用ケーブルが装着されるＬＡＮカード（ＬＡＮ  ｃａｒｄ）を含むことができる。また、第１端末装置１０は、通信モジュールを介して送受信されたデータを処理するためのプロセッサをさらに含むことができる。プロセッサは、少なくとも１つのシリコンチップに算術論理演算器、レジスター、プログラムカウンター、命令デコーダーや制御回路等が設置されている処理装置であることができる。所定のプロセッサは、第１端末装置のハウジングに内蔵された所定の印刷回路基板に配置された少なくとも１つの半導体チップによって具現され得る。第１端末装置は、画像を表示するための表示部を具備できる。表示部は、液晶ディスプレイ（ＬＣＤ、ｌｉｑｕｉｄ  ｃｒｙｓｔａｌ  ｄｉｓｐｌａｙ）、発光ダイオード（ＬＥＤ、ｌｉｇｈｔ  ｅｍｉｔｔｉｎｇ  ｄｉｏｄｅ）または有機発光ダイオード（ＯＬＥＤ、ｏｒｇａｎｉｃ  ｌｉｇｈｔ  ｅｍｉｔｔｉｎｇ  ｄｉｏｄｅ）等を利用して製作されたディスプレイ装置によって具現され得る。表示部は、プロセッサの制御によって家電機器４０、４０ａとアクセスポイント装置１０の間の連結を設定する方法等を文字、イメージまたは動画等で表示できる。
【００４５】
一実施例によれば、家電機器ネットワーク連結システムは、第２端末装置１１をさらに含むことができる。第２端末装置１１は、第１端末装置１０と同種の端末装置であってもよく、異種の端末装置であってもよい。例えば、第１端末装置１０は、スマートフォンであり、第２端末装置１１は、タブレットパソコンであることができる。第１端末装置１０のユーザと第２端末装置２０のユーザは、互いに同一であってもよく、異なっていてもよい。
【００４６】
サーバー装置２０は、第１端末装置１０及び第２端末装置１１のうち少なくとも１つからデータを受信し、受信したデータに基づいて演算、判断及び処理等を行った後、演算、判断または処理等の機能実行結果を第１端末装置１０及び第２端末装置１１のうち少なくとも１つに伝送できる。サーバー装置２０は、少なくとも１つのコンピューティング装置によって具現され得る。言い替えれば、サーバー装置２０は、複数のコンピューティング装置によって具現され得る。複数のコンピューティング装置は、それぞれ同一の機能を行ってもよく、互いに異なる機能を行ってもよい。
【００４７】
アクセスポイント装置３０（ＷＡＰ  ａｐｐａｒａｔｕｓ、ｗｉｒｅｌｅｓｓ  ａｃｃｅｓｓｐｏｉｎｔ  ａｐｐａｒａｔｕｓ）は、多様な無線装置を有線装置に連結させることができる装置を示す。アクセスポイント装置３０は、有線通信ケーブルと連結され得るスロットを具備でき、有線通信ケーブルを介してサーバー装置２０とデータを送受信できる。アクセスポイント装置３０は、有線通信ネットワークと連結されたルーターを含むことができる。また、アクセスポイント装置３０は、第１端末装置１０及び第２端末装置１１のうち少なくとも１つまたは家電機器４０、４０ａと無線通信ネットワークを介して連結され得る。アクセスポイント装置３０は、無線通信ネットワークのために無線通信モジュールを含むことができる。アクセスポイント装置３０の無線通信モジュールは、アンテナ及び無線通信チップを含むことができる。アクセスポイント装置３０は、ＩＥＥＥ  ８０２．１１標準等多様な通信標準を利用して通信を行うこともできる。具体的に、アクセスポイント装置３０は、ワイファイ（ＷｉＦｉ）技術、近接場無線通信（ＮＦＣ、ｎｅａｒ  ｆｉｅｌｄ  ｃｏｍｍｕｎｉｃａｔｉｏｎ）またはブルートゥースＴＭ等多様な通信技術を利用して通信を行うこともできる。アクセスポイント装置３０は、無線通信の保安のために多様な暗号化方法を利用してパケットを暗号化した後、暗号化されたパケットを外部に伝送することもできる。
【００４８】
アクセスポイント装置３０は、外部の端末装置等から認証キーの入力を受け、入力を受けた認証キーが正確である場合、外部の端末装置等がアクセスポイント装置３０と連結するようにできる。例えば、アクセスポイント装置３０は、家電機器４０、４０ａから認証キーを伝達され、伝達された認証キーがあらかじめ格納された認証キーと一致するか否かを判断した後、伝達された認証キーがあらかじめ格納された認証キーと一致する場合、家電機器４０、４０ａがアクセスポイント装置３０と連結されるように許可できる。家電機器４０、４０ａは、アクセスポイント装置３０が連結を許可する場合、アクセスポイント装置３０に連結され得、アクセスポイント装置３０を介して外部ネットワークに連結され得る。
【００４９】
認証キーは、文字、数字及び各種記号のうち少なくとも１つよりなる一連の番号であることができる。一連の番号は、パスワードであることができる。また、認証キーは、公認認証書のような電子情報であってもよい。
【００５０】
家電機器４０、４０ａは、第１端末機１０、第２端末機１１及びアクセスポイント装置３０のうち少なくとも１つと通信できる通信モジュール及び家電機器４０、４０ａの全般的な動作を制御するためのプロセッサを含むことができる。通信モジュールは、有線通信モジュールであってもよく、無線通信モジュールであってもよい。通信モジュールは、有線通信の場合、有線通信用ケーブル及び有線通信用ケーブルが装着されるＬＡＮカード（ＬＡＮ  ｃａｒｄ）を含むことができる。通信モジュールは、無線通信の場合、アンテナ及び無線通信チップを含むことができる。通信モジュールは、ワイファイ技術、近接場無線通信またはブルートゥースＴＭ等多様な通信技術を利用して第１端末機１０、第２端末機１１及びアクセスポイント装置３０のうち少なくとも１つと通信できる。例えば家電機器４０、４０ａは、ワイファイダイレクト（ＷｉＦｉ  Ｄｉｒｅｃｔ）技術を利用して第１端末機１０または第２端末機１１とデータ通信を行うことができる。プロセッサーは、マイクロ制御ユニット等の各種処理手段によって具現され得る。プロセッサーは、通信モジュールを制御し、通信モジュールを介して受信したデータを処理することもできる。プロセッサーは、通信モジュールを介して受信した、第１端末装置１０からアクセスポイント装置３０の識別番号及び認証キーを利用して、アクセスポイント装置３０に接続を試みる制御命令を生成できる。
【００５１】
家電機器４０、４０ａは、必要に応じて各種情報を表示するための表示部と、ユーザから多様な指示の入力を受けるための入力部とをさらに含むことができる。表示部は、液晶ディスプレイ、発光ダイオードまたは有機発光ダイオード等を利用して具現されたディスプレイ装置であることができる。必要に応じて、表示部は、複数のディスプレイ装置を含むことができる。入力部は、家電機器４０、４０ａに直接設置されていてもよく、家電機器と連結された外部の装置に設置されていてもよい。家電機器と連結された外部の装置は、遠隔制御装置であるリモコン装置を含むことができる。入力部は、一実施例によれば、少なくとも１つの家電機器がアクセスポイント装置に連結され得るように家電機器をアクセスポイント連結モードに進入させる指示の入力を受けることができる。実施例によって、家電機器４０、４０ａは、タッチスクリーン部を含むことができる。タッチスクリーン部は、画像を表示すると同時に、ユーザのタッチ操作によって、ユーザの指示の入力を受けることができ、前述した表示部及び入力部の機能を同時に提供できる。
【００５２】
家電機器４０、４０ａは、冷蔵庫、洗濯機、テレビ、ラジオ、オーディオ、掃除機、エアコン等の空調装置、オーブン、デジタルカメラ、スマートテレビ、家庭用コンピューターまたはノートパソコン等、多様な種類の電子製品を含むことができる。
【００５３】
以下、図２〜図１２を参照して第１端末装置を利用して家電機器のネットワーク連結を設定する方法について説明する。
【００５４】
図２は、家電機器のネットワーク連結方法の一部である外部端末装置に家電機器設定方法が表示される過程の一実施例を示す流れ図であり、図３及び図４は、家電機器設定途中に外部端末装置に表示され得る画面の一例を示す図である。図２には、サーバー装置２０が３個のサーバー装置２１〜２３を含む一例について示されている。これは、説明の便宜のためのものであって、サーバー装置２０は、１個または２個であってもよく、４個以上であってもよい。これは、システム設計者の任意的選択によって決定され得る。図２の第１サーバー装置２１は、少なくとも１つのアプリケーション（図面ではアプリと表現する）が格納されたアプリケーション格納サーバーであることができる。ここで、アプリケーションは、ネットワーク連結方法を具現するためにプログラミングされたものであることができる。第１サーバー装置２１は、アプリケーションまたはアプリケーションのアップデートファイルを格納し、第１端末装置１０の要請に応じてアプリケーションまたはアップデートファイルを第１端末装置１０または第２端末装置１１に伝送できる。第２サーバー装置２２は、ユーザのネットワーク設定権限を処理するための権限処理サーバーであることができる。第３サーバー装置２３は、家電機器の遠隔制御等、ホームネットワークサービスを提供するサービス提供者が運営するサーバー装置であって、当該サービスに加入したユーザのアカウントを管理できる。ユーザアカウントは、ユーザ情報とユーザが登録した家電機器リストを含むことができる。ユーザは、家にいなくても、家以外の有線または無線通信ネットワークを利用して第３サーバー装置２３に接続し、ユーザーアカウントに登録された家電機器を遠隔制御できる。
【００５５】
図２に示されたように、第１端末装置１０は、家電機器４０がアクセスポイント装置３０と連結され、ネットワークに連結され得るように、まず、第１サーバー装置２１からアプリケーションを伝送され得る（ｓ１００）。もし第１端末装置１０にアプリケーションが既に設置された状態の場合、この段階（ｓ１００）は、省略されてもよい。もし、第１端末装置１０に設置されたアプリケーションの更新が必要な場合、第１サーバー装置２１から第１端末装置１０にアプリケーションアップデートファイルが伝送され得る。第１端末装置１０は、第１サーバー装置２１からアプリケーションを伝送されて設置するかまたはアプリケーションアップデートファイルを伝送されて設置し、設置されたアプリケーションを実行させることができる（ｓ１０１）。
【００５６】
アプリケーションが実行されると、第１端末装置１０は、第３サーバー装置２３とネットワークを介して連結される。第１端末装置１０は、あらかじめ登録されたユーザアカウントを利用して第３サーバー装置２３に接続するためにユーザ認証情報を第３サーバー装置２３に伝送できる（ｓ１０２）。もし第３サーバー装置２３に登録されたユーザアカウントがなければ、第３サーバー装置２３は、ユーザアカウント登録のために加入プロセスを行うことができる。以下では、説明の便宜のために、既に登録されたユーザアカウントがあるという前提の下に説明する。ユーザ認証情報は、ユーザ識別番号（ＩＤ、ｉｄｅｎｔｉｆｉｃａｔｉｏｎ  ｎｕｍｂｅｒ）及び認証用パスワードのうち少なくとも１つを含むことができる。ユーザ識別番号及び認証用パスワードは、記号、文字及び数字のうち少なくとも１つよりなるものであることができる。ユーザ識別番号は、電子メールアドレス、住民登録番号及び携帯電話番号等個人識別が可能な多様な種類の標識を含むことができる。必要に応じて、第１端末装置１０は、表示部にユーザ認証のためのユーザ識別番号及び認証用パスワードの入力を受けるための入力窓を表示できる。第１端末装置１０は、ユーザ識別番号及び認証用パスワードをあらかじめ格納していてもよい。ユーザ認証情報は、第３サーバー装置２３に伝送される前に保安のために暗号化され得る。
【００５７】
第３サーバー装置２３は、認証情報を受信し、受信した認証情報に基づいてユーザ認証を行うことができる。この場合、第３サーバー装置２３は、暗号化された認証情報を解釈し、解釈された認証情報に基づいてユーザ認証を行うことができる。もしユーザ認証に成功すれば、登録されたユーザーアカウントに接続し、第３サーバー装置２３は、家電機器４０のネットワーク設定権限と関連した第１アクセストークンを第１端末装置１０に伝送できる。もしユーザ認証に失敗すれば、第３サーバー装置２３は、ユーザ認証失敗情報を第１端末装置１０に伝送できる。すると、第１端末装置１０は、ユーザ認証失敗情報に基づいてユーザ認証失敗メッセージを表示部等に画面で出力できる。必要に応じて、第１端末装置１０は、ユーザ認証失敗メッセージをサウンドで出力することもできる。
【００５８】
第１端末装置１０は、第１アクセストークンを受信すると、第１アクセストークンを第２サーバー装置２２に伝送し、家電機器４０に接続する権限を要請できる（ｓ１０４）。第２サーバー装置２２は、第１アクセストークンの無欠性のために受信した第１アクセストークンを第３サーバー装置２３に伝送し（ｓ１０５）、第３サーバー装置２３は、ユーザ認証結果等第１アクセストークンの無欠性のための情報を第２サーバー装置２２に伝送できる。第２サーバー装置２２は、第１アクセストークンの無欠性が立証されると、家電機器のネットワーク連結設定サービスを提供することを決定し（ｓ１０７）、決定結果を第１端末装置ｓ１０８に伝送できる（ｓ１０８）。
【００５９】
第１端末装置１０は、このような過程が行われる間に、図３に示されたように、所定の画面ｌを表示できる。所定の画面ｌの一部には、認証と関連した各種処理を行っていることを表示するための画像または動画ｌ１が表示され得る。実施例によって、第１端末装置１０は、サウンド等を出力し、このような認証過程が行われていることをユーザに通知することもできる。
【００６０】
第２サーバー装置２２から決定結果を受信すると、第１端末装置１０は、家電機器が接続されるアクセスポイント装置３０を決定できる。この場合、第１端末装置１０は、アクセスポイント装置３０の決定及びアクセスポイント装置３０の認証キーの入力を受けるための入力窓ａを図４に示されたように表示できる。入力窓ａには、保安設定ａ１や信号強度ａ４等のようなアクセスポイント装置３０を表示するための各種情報が表示され得る。また、入力窓ａには、他のアクセスポイント装置を選択するためのボタンａ３、アクセスポイント装置の認証キーの入力を受ける認証キー入力区域ａ５、認証キー伝送等、次の段階の機能を行うための指示の入力を受ける確認ボタンａ６及び取り消しボタンａ７等が表示され得る。
【００６１】
もし、複数のアクセスポイント装置３０が存在する場合、第１端末装置１０は、アクセスポイント装置連結順位に基づいて複数のアクセスポイント装置３０のうち少なくとも１つのアクセスポイント装置３０を決定できる。アクセスポイント装置連結順位は、多様な基準によって決定され得る。例えばアクセスポイント装置連結順位は、アクセスポイント装置３０と第１端末装置１０の間の接続期間、アクセスポイント装置３０及び少なくとも１つの家電機器４０、４０ａの間の接続期間、第１端末装置１０または少なくとも１つの家電機器４０、４０ａがアクセスポイント装置３０に接続した接続時刻及びアクセスポイント装置３０の電波強度及びユーザのアクセスポイント装置の選択結果のうち少なくとも１つに基づいて生成されたものであることができる。
【００６２】
図５は、アクセスポイント装置の選択順位を説明するための図である。例えば、アクセスポイント装置３０は、図５に示されたように、第１端末装置１０または少なくとも１つの家電機器４０、４０ａが現在連結されているアクセスポイント装置、第１端末装置１０または少なくとも１つの家電機器４０、４０ａが最も最近接続されたアクセスポイント装置、最も信号強度が強いアクセスポイント装置及びユーザが選択したアクセスポイント装置の順に選択され得る。言い替えれば、第１端末装置１０は、現在連結されているアクセスポイント装置３０が存在するかを確認し、現在連結されているアクセスポイント装置３０を選択できる。もし現在連結されているアクセスポイント装置３０が不在である場合、第１端末装置１０は、接続記録を閲覧し、最も最近接続したアクセスポイント装置３０があるかを確認し、最近接続したアクセスポイント装置３０が存在する場合、最近接続したアクセスポイント装置３０に接続するようにすることができる。もし最近接続したアクセスポイント装置３０が存在しない場合、第１端末装置１０は、複数のアクセスポイント装置３０のうち最も信号強度が強い装置を選択できる。このような方法によっても、アクセスポイント装置３０が決定されない場合、第１端末装置１０は、表示部にアクセスポイント装置３０の選択を要請するメッセージを表示し、ユーザからアクセスポイント装置３０選択に関する命令の入力を受けてもよい。もちろん、必要に応じて、アクセスポイント装置の選択順位に関係なく、ユーザが任意的にアクセスポイント装置３０を選択してもよい。
【００６３】
ここで、第１端末装置１０を介してアクセスポイント装置３０を選択する目的は、家電機器４０、４０ａがアクセスポイント装置３０と通信できるように連結し、当該家電機器４０、４０ａがアクセスポイント装置３０を介して第３サーバー装置２３に接続するようにし、第３サーバー装置２３は、当該家電機器４０、４０ａをユーザーアカウントに登録するようにするためのものである。言い替えれば、端末装置１０は、アクセスポイント装置３０に連結するための認証情報を生成し、生成された認証情報を家電機器４０、４０ａに伝送し、家電機器４０、４０ａは、受信した認証情報を利用してアクセスポイント装置３０に連結され得るようにすることで、ユーザが家電機器４０、４０ａを直接操作してアクセスポイント装置３０に連結しなければならない不便さが解消され得る。
【００６４】
アクセスポイント装置３０が決定されると、ユーザは、アクセスポイント装置３０に対する認証キーを第１端末装置１０の認証キー入力区域ａ５を介して入力し（ｓ１１１）、第１端末装置１０は、入力された認証キーをアクセスポイント装置３０に伝送できる（ｓ１１２）。アクセスポイント装置３０は、受信した認証キーを検証し、認証キーがアクセスポイント装置３０に格納されたアクセスポイント装置３０の認証キーと一致するかを検証できる（ｓ１１３）。アクセスポイント装置３０は、認証キーを検証した後、検証結果を第１端末装置に伝送できる(ｓ１１４)。もし、受信した認証キーがアクセスポイント装置３０の認証キーと一致する場合、アクセスポイント装置３０は、受信した認証キーがアクセスポイント装置３０の認証キーと一致するという情報を第１端末装置１０に伝送できる。受信した認証キーがアクセスポイント装置３０の認証キーと一致しない場合、アクセスポイント装置３０は、受信した認証キーがアクセスポイント装置３０の認証キーと不一致であるという情報を第１端末装置１０に伝送できる。
【００６５】
第１端末装置１０がアクセスポイント装置３０に連結されている状態であるか、過去に連結されたことがある場合には、第１端末装置１０の内部に設置されたメモリー装置等に当該アクセスポイント装置３０の認証キーに関する情報が格納されていることがあるため、ユーザの入力した認証キーが正確な値であるかを判断する手続を第１端末装置１０が自体的に行うこともできる。
【００６６】
第１端末装置１０に選択したアクセスポイント装置３０と前記アクセスポイント装置３０に連結するための認証キーが入力されると、第１端末装置１０は、ネットワーク設定情報を生成し、メモリ装置等に格納できる。格納されたネットワーク設定情報は、その後家電機器４０、４０ａに伝送され、当該家電機器４０、４０ａがアクセスポイント装置３０に連結できるようにすることができる。また、ネットワーク設定情報は、第３サーバー装置２３に登録されたユーザーアカウントに関する情報を含むこともできる。したがって、家電機器４０、４０ａがアクセスポイント装置３０を介して第３サーバー装置２３に接続し、ネットワーク設定情報の登録されたユーザーアカウントを利用して認証手続を行うことによって、ユーザーアカウントに当該家電機器４０、４０ａが登録され得る。
【００６７】
ユーザが入力したアクセスポイント装置３０に関する認証キーが正確な値であるかを判断する過程は重要である。もし、不正確な認証キーを利用してネットワーク設定情報を生成し、家電機器４０、４０ａに伝達した場合、家電機器４０、４０ａがこのようなネットワーク設定情報を利用してアクセスポイント装置３０に連結を試みれば、不正確な認証キーに起因してアクセスポイント装置３０に対する連結が失敗し得る。家電機器４０、４０ａによるアクセスポイント装置３０に対する連結が失敗した場合、ユーザが失敗に関する情報をフィードバックされるまでは、ある程度の時間が所要され、また、ユーザは、もう一度アクセスポイント装置３０を選択し、認証キーを入力する過程を繰り返さなければならない煩雑さが生じ得る。しかし、前述したように、第１端末装置１０は、選択されたアクセスポイント装置３０に関する認証キーが正確な場合にのみ、ネットワーク設定情報を生成するため、家電機器４０、４０ａに伝送するネットワーク設定情報にはエラーが存在せず、したがって、ネットワーク及びアクセスポイント装置３０等に異常がない限り、家電機器４０、４０ａがアクセスポイント装置３０に連結されるとき、失敗する恐れがなくなる。
【００６８】
図６及び図７は、家電機器設定途中に外部端末装置に表示され得る画面の一例を示す図である。第１端末装置１０は、認証キーが一致するという情報を受信すると、図６及び図７に示されたような設定関連画面ｂ、ｃをユーザに表示できる（ｓ２００）。例えば、第１端末装置１０は、図６に示されたように、家電機器４０、４０ａをアクセスポイント装置３０に連結させるための方法等を説明するための各種情報ｂ１を表示できる。ネットワーク設定方法と関連した情報は、テキスト、イメージ、サウンド及び動画のうち少なくとも１つで表現され得る。ユーザは、第１端末装置１０の画面ｂに表示されることを参照して、家電機器４０、４０ａが第１端末装置１０またはアクセスポイント装置３０と通信可能な状態に設定できる。例えば、ユーザは、家電機器４０、４０ａに設けられたボタン、タッチスクリーンまたはノブ（ｋｎｏｂ）等の設定手段を操作し、第１端末装置１０またはアクセスポイント装置３０と通信可能な状態に設定できる。
【００６９】
もし第１端末装置１０がタッチスクリーンが設置された装置である場合、第１端末装置１０は、ユーザに追加的な情報を提供するための次期内容表示ボタンｂ２をさらに表示することもできる。
【００７０】
必要に応じて、第１端末装置１０は、図７に示されたように、家電機器４０、４０ａをアクセスポイント装置３０に連結する方法に対するテキスト情報ｃ１を表示できる。テキスト情報ｃ１は、例えば家電機器４０、４０ａの表示部がタッチスクリーンで具現された場合、タッチスクリーンの特定区域ｃ２をタッチする場合、家電機器４０、４０ａのネットワーク連結設定を行うことができるという情報を含むことができる。第１端末装置１０は、テキスト情報ｃ１だけでなく、家電機器４０、４０ａの表示部に表示される画面の一例ｃ３を一緒に表示し、ユーザの理解の便宜を図ることもできる。
【００７１】
一方、第１端末装置１０は、認証キーと不一致であるという情報を受信すれば、エラーメッセージ及び認証キーをもう一度入力することを要請するメッセージを出力できる。
【００７２】
図８は、外部端末装置に家電機器設定方法が表示される過程の他の一実施例を示す流れ図である。図８に示されたように、家電機器のネットワーク連結方法は、ネットワーク連結をしようとする複数の家電機器４０、４０ａのうち少なくとも１つの家電機器４０をアクセスポイント装置３０に接続される家電機器として選択するための段階（ｓ１２０、ｓ１２１）をさらに含むこともできる。図２を介して説明したものと同様に、第１端末装置１０でアプリケーションが動作すると（ｓ１０１）、ユーザ認証情報が第３サーバー装置２３に伝送され（ｓ１０２）、第３サーバー装置２３は、第１端末装置１０に第１アクセストークンを伝送できる。第１端末装置は、第１アクセストークンを第２サーバー装置２２に伝送し、家電機器４０、４０ａのネットワーク連結を設定できる（ｓ１０４〜ｓ１０８）。
【００７３】
図９は、家電機器設定途中に端末装置に表示され得る画面の一例を示す図である。このように第１端末装置１０が家電機器のネットワーク連結を設定できる権限を確保すると、第１端末装置１０は、第１端末装置１０に設置されたアプリケーションを利用して図９に示されたように家電機器を選択できる機器選択画面ｅを表示できる（ｓ１２０）。第１端末装置１０の機器選択画面ｅには、複数の家電機器のうち少なくとも１つの家電機器をアクセスポイント装置に接続される家電機器として選択できる選択手段、一例として、アイコンが表示され得る。第１端末装置１０の表示部がタッチスクリーンで具現された場合、選択手段は、タッチ操作が可能な複数の選択ボタンｅ１〜ｅ３を含むことができる。複数の選択ボタンｅ１〜ｅ３は、ユーザが直観的にネットワーク連結設定をしようとする家電機器を選択できるように家電機器の外形を形象化したイメージで具現されていてもよい。第１端末装置１０は、あらかじめ格納された複数の家電機器に対する情報に基づいて複数の家電機器に対応する複数の選択ボタンｅ１〜ｅ３を表示できる。あらかじめ格納された複数の家電機器に対する情報は、システム設計者がアプリケーション内にあらかじめ設定しておいたものであってもよく、相当する家電機器から伝送されたものであってもよく、別途のサーバー装置から伝送されたものであってもよく、ユーザが直接入力したものであってもよい。機器選択画面ｅは、ユーザが第１端末装置１０に登録する可能性が高い代表的な家電機器、一例として、冷蔵庫、洗濯機、エアコン、掃除ロボット、オーブンまたはテレビ等を選択できるように、これらに相当する選択ボタンｅ１〜ｅ３を含むことができる。図９の機器選択画面ｅには、複数の家電機器に対応する選択ボタンｅ１〜ｅ３が表示された一例について図示されているが、もし第１端末装置１００がただ１つの家電機器に対する情報のみを格納していれば、図９の選択画面ｅには、ただ１つの家電機器に対応する選択ボタンだけが表示されてもよい。
【００７４】
ユーザは、このような複数の選択ボタンｅ１〜ｅ３のうち少なくとも１つをタッチ操作して複数の家電機器のうち選択された選択手段ｅ１〜ｅ３に対応する家電機器４０、４０ａを選択できる（ｓ１２１）。家電機器４０、４０ａが選択されると、家電機器４０、４０ａが接続するアクセスポイント装置３０が選択され得る（ｓ１２２）。アクセスポイント装置３０は、第１端末装置１０によって自動に選択されてもよく、ユーザによって手動で選択されてもよい。アクセスポイント装置３０が選択されると、ユーザは、第１端末装置１０にアクセスポイント装置３０の認証キーを入力できる（ｓ１２３）。アクセスポイント装置３０の選択及び決定段階（ｓ１２２）及び認証キー入力段階（ｓ１２３）は、図２のアクセスポイント装置３０の決定段階（ｓ１１０）及び認証キー入力段階（ｓ１１１）と同一であることかできる。第１端末装置１０は、アクセスポイント装置３０の認証キーをアクセスポイント装置３０に伝送し（ｓ１１２）、アクセスポイント装置３０は、認証キーを検証し（ｓ１１３）、検証結果を第１端末装置に伝送し（ｓ１１４）、第１端末装置は、認証キーが正しい認証キーであるという検証結果を受信すると、図６または図７に示されたような設定関連画面を表示できる（ｓ２００）。第１端末装置で認証キーを伝送する段階乃至設定関連画面表示段階（ｓ１１２〜ｓ２００）は、図２を参照して説明したものと同一であることができる。
【００７５】
以下、ユーザが家電機器イメージｅ１〜ｅ３のうち１つを選択して第１端末装置１０に当該家電機器を登録する場合を一例に挙げて詳しく説明する。例えば、ユーザが第１端末装置１０の画面に表示された家電機器イメージｅ１〜ｅ３のうち１つの家電機器、一例として、エアコンのイメージｅ２を選択すると、第１端末装置１０に設置されたアプリケーションにプログラミングされた作動手続によって、エアコンが第１端末装置１０とネットワーク通信を行うことができるようにエアコンを操作するマニュアルを第１端末装置１０の画面に表示できる。
【００７６】
エアコン等の家電機器４０が第１端末装置１０とネットワーク通信を行うためにワイファイダイレクト、ブルートゥース、近接場無線通信等の無線通信が利用され得、家電機器４０が常時ネットワーク通信を準備しているわけではないため、家電機器別にこのようなネットワーク通信を準備するようにする操作方法は、それぞれ異なり得る。家電機器が外部装置とネットワーク通信できるように用意した状態を便宜上ＡＰモード状態と命名する。家電機器と第１端末装置１０がネットワーク通信可能であるためには、家電機器４０が第１端末装置１０とネットワーク通信を連結しようとする家電機器がＡＰモード状態にあり、第１端末装置１０も、ワイファイダイレクト等の無線通信モジュールが稼動状態になければならない。したがって、家電機器選択画面表示段階Ｓ１３０でユーザがエアコンイメージｅ２を選択した場合、図６に示されたように、エアコンをＡＰモードに変換するために、ユーザがエアコンをどのように操作しなければならないかに対するマニュアルを表示できる。
【００７７】
第１端末装置１０に表示されたマニュアルどおりユーザがエアコンを操作すると、エアコンは、ＡＰモードに変換される。また、ユーザが図６に示されたように、家電機器登録のために次の段階に進行する命令入力部ｂ２を選択すると、第１端末装置１０は、ワイファイダイレクト等無線通信モジュールを稼動し、周囲のＡＰモード状態にある家電機器を検索し始めることができる。その後、ユーザが第１端末装置１０で検索されたエアコンを選択すると、第１端末装置１０とエアコンが互いにネットワーク通信可能となるようにペアリング（ｐａｉｒｉｎｇ）され得る（追加部分終了）。
【００７８】
図１０は、第１端末装置と通信をする家電機器を第１端末装置に登録する過程の一実施例にを示す流れ図である。図１０を参照すると、家電機器のネットワーク連結方法は、機器登録過程を含むことができる。より具体的に、家電機器のネットワーク連結方法は、第１端末装置１０にネットワーク連結が設定可能な少なくとも１つの家電機器に対する情報をアクセスポイント装置３０に接続される家電機器に格納するための段階（ｓ１３０、ｓ１３１）をさらに含むこともできる。図１０のアプリケーション動作開始段階乃至決定結果伝送段階（ｓ１０１〜段階ｓ１０８）は、図２及び図８を参照して説明したものと同一であることができる。図１０に示されたように、第１端末装置１０が家電機器のネットワーク設定権限を獲得した場合、第１端末装置１０は、図９及び図１０に示されたように、家電機器選択画面ｅを表示できる（ｓ１３０）。家電機器選択画面ｅは、家電機器追加のための追加手段を含むことができる。第１端末装置１０の表示部がタッチスクリーンで具現された場合、家電機器追加手段は、タッチ操作が可能な追加ボタンｅ４を含むことができる。追加ボタンｅ４は、ユーザが直観的にネットワーク連結設定をしようとする家電機器を選択できるように、プラス（＋）記号等のイメージで具現され得る。ユーザは、第１端末装置１０の家電機器選択画面ｅに表示されたイメージのうち登録しようとする家電機器のイメージを選択することもでき、家電機器選択画面ｅに表示されたイメージのうち登録しようとする家電機器のイメージがなければ、追加ボタンｅ４を操作して機器追加命令を入力することもできる（ｓ１３１）。
【００７９】
家電機器４０の通信モジュールは、第１端末装置１０と通信可能になるように駆動され、家電機器４０と第１端末装置１０は、それぞれの通信モジュールを利用して互いに通信を行うことができる（ｓ１３４）。この場合、家電機器４０と第１端末装置１０は、ワイファイダイレクト方式を利用して互いに通信を行うこともできる。家電機器４０と第１端末装置１０が互いに連結されると、家電機器４０は、第１端末装置１０に機器登録要請を伝送できる。この場合、家電機器４０は、第１端末装置１０に家電機器に対する情報を伝送できる（ｓ１３４）。家電機器に対する情報は、家電機器を識別するための識別番号を含むことができる。識別番号は、家電機器４０のシリアルナンバー（ｓｅｒｉａｌ  ｎｕｍｂｅｒ）、家電機器４０のインターネットプロトコルアドレス（ＩＰ  ａｄｄｒｅｓｓ、ｉｎｔｅｒｎｅｔ  ｐｒｏｔｏｃｏｌ  ａｄｄｅｒｅｓｓ）及び家電機器のマックアドレス（ｍａｃ  ａｄｄｒｅｓｓ）のうち少なくとも１つを含むことができる。第１端末装置１０は、家電機器４０に対する情報を受信すると、受信した情報を格納し、家電機器４０を登録できる。第１端末装置１０は、登録された家電機器４０を図９に示されたように機器選択画面ｅに選択ボタンｅ１〜ｅ３で表示できる。必要に応じて、第１端末装置１０は、機器登録決定及び登録に対する情報を家電機器４０に伝送できる。家電機器４０は、登録決定及び登録に対する情報を受信し、受信した登録決定及び登録に対する情報を格納できる。その後、第１端末装置１０が家電機器４０を外部から制御しようとする場合、家電機器４０は、受信した登録決定及び登録に対する情報に基づいて第１端末装置１０に対する制御の許容可否を決定することもできる。
【００８０】
図１１は、家電機器とアクセスポイント装置が互いに連結される過程を示す流れ図である。図２〜図１０を参照して説明したように、第１端末装置１０が設定関連画面を表示（ｓ２００）する場合、家電機器４０は、ネットワーク設定のための設定画面を表示し（ｓ２０１）、家電機器４０がアクセスポイント装置に連結されるためのアクセスポイント連結モードを開始できる（ｓ２０２）。一実施例によれば、家電機器４０は、物理ボタンやタッチスクリーン等の入力部を介してアクセスポイント連結モード開始指示をユーザから入力され得る。のみならず、家電機器４０は、近接場無線通信または赤外線を利用するリモコンを介してユーザからアクセスポイント連結モード開始指示を入力され得る。例えば、ユーザが家電機器４０の物理ボタンやタッチスクリーンを操作するかまたは家電機器４０のリモコンを操作し、家電機器４０がアクセスポイント連結モードに進入できる。アクセスポイント連結モードが開始されると、家電機器４０は、所定の設定画面を表示できる。他の一実施例によれば、家電機器４０は、第１端末装置１０から伝達される制御命令によってアクセスポイント連結モードに進入することもできる。
【００８１】
家電機器４０がアクセスポイント連結モードを開始すると、家電機器４０及び第１端末装置１０は、有線通信ネットワークまたは無線通信ネットワークを介して互いに連結を試みることができる（ｓ２０４、ｓ２０３）。ここで、無線通信ネットワークは、ワイファイダイレクト方式を利用した通信ネットワークであることができる。家電機器４０及び第１端末装置１０が有線通信ネットワークまたは無線通信ネットワークを介して連結されると（ｓ２０５）、第１端末装置１０は、アクセスポイント装置３０の識別番号及び認証キーを家電機器４０に伝達できる（ｓ２１０）。アクセスポイント装置３０の識別番号は、第１端末装置１０にあらかじめ格納されたものであることができる。アクセスポイント装置３０の認証キーは、ユーザによって入力されたものであってもよく（図２のｓ１１１）、第１端末装置１０が自体的に検証を行うため（図２のｓ１１３）、正確な値であることができる。実施例によって、第１端末装置１０は、固有の識別番号を伝送することもできる。例えば、固有の識別番号は、家電機器４０がアクセスポイント装置３０に接続する場合、一回のみ使用される臨時識別番号であってもよい。第１端末装置１０から家電機器４０に伝達される情報は、暗号化され、家電機器４０に伝達されることもできる。家電機器４０は、伝達されたアクセスポイント装置３０の識別番号及び認証キーを利用してアクセスポイント装置３０への連結を試みることができる（ｓ２１１）。例えば、家電機器４０は、ワイファイや近接場通信方式等の無線通信方式を利用してアクセスポイント装置３０への連結を試みることができる。家電機器４０は、受信したアクセスポイント装置３０の識別番号及び認証キーを家電機器４０に内蔵された格納装置に一時的または非一時的に格納できる。格納装置は、ディスク格納装置及び半導体格納装置を含むことができる。
【００８２】
家電機器４０がアクセスポイント装置３０の識別番号及び検証された認証キーをアクセスポイント装置３０に伝送することによって、家電機器４０は、アクセスポイント装置３０と失敗なしに連結に成功することができる。アクセスポイント装置３０は、家電機器４０に連結成功と関連した情報を伝送できる（ｓ２１２）。家電機器４０は、アクセスポイント装置３０との連結が成功すると、アクセスポイント装置３０を介して第３サーバー装置２３に家電機器４０に対する情報を伝送できる（ｓ２２０）。家電機器４０がアクセスポイント装置と連結に成功すると同時に、第３サーバー装置２３に接続できる理由は、家電機器４０に内蔵されたマイクロ制御ユニット（ＭＣＵ、ｍｉｃｒｏ  ｃｏｎｔｒｏｌｌｉｎｇ  ｕｎｉｔ）等に既にプログラミングされているからである。言い替えれば、家電機器４０が最初にインターネット網への接続に成功するとき、接続するインターネットプロトコルアドレスが既に家電機器４０のマイクロ制御ユニットにプログラミングされているという意味である。したがって、家電機器４０がアクセスポイント装置３０と連結されると、家電機器４０は、インターネット網に接続したことを判断し、指定されたインターネットプロトコルアドレスを利用して第３サーバー装置２３に接続する。
【００８３】
第３サーバー装置２３は、家電機器４０に対する情報を受信し、受信した家電機器４０に対する情報に基づいてユーザーアカウントに家電機器を登録できる（ｓ２２０ａ）。ユーザーアカウントは、第３サーバー装置２３にあらかじめ格納されたものであることができる。第３サーバー装置２３にあらかじめ格納されたユーザーアカウントは、第１端末装置１０または第２端末装置１１と関連したものであってもよい。例えば、第３サーバー装置２３に格納されたユーザーアカウントは、第１端末装置１０等の一連番号ごとに付与されたものであることができる。ユーザーアカウントは、ユーザが第３サーバー装置２３に接続して生成したものであってもよい。前述したように、第１端末装置１０が第３サーバー装置２３に接続し、第１アクセストークンを受信し（Ｓ１０３）、第１端末装置１０が家電機器４０にアクセスポイント装置４０の識別番号及び認証キーを伝送（Ｓ２１０）するとき、前記第１アクセストークンを家電機器４０に伝送したため、家電機器４０は、受信した第１アクセストークンを利用して第３サーバー装置２３に登録されたユーザーアカウントで自動接続し、第３サーバー装置２３は、家電機器４０を第１端末装置１０のユーザーアカウントに登録できる。実施例によって、第１端末装置１０が第３サーバー装置２３に接続して、使用したユーザ認証情報を格納してから、第１端末装置１０が家電機器４０にアクセスポイント装置４０の識別番号及び認証キーを伝送（Ｓ２１０）するとき、前記ユーザ認証情報を一緒に家電機器４０に伝送することによって、家電機器４０が受信したユーザ認証情報を利用して第３サーバー装置２３に登録されたユーザーアカウントで自動接続することもできる。この際、前記ユーザ認証情報は、ユーザ識別番号（ＩＤ、ｉｄｅｎｔｉｆｉｃａｔｉｏｎ  ｎｕｍｂｅｒ）及び認証用パスワードのうち少なくとも１つを含むことができる。
【００８４】
前述したように、第３サーバー装置２３のユーザーアカウントに家電機器４０が登録されると、第３サーバー装置２３は、ユーザーアカウントに家電機器４０が登録されたという情報を第１端末装置１０に伝送できる。第１端末装置１０は、図１２に示されたように、家電機器の登録完了表示を画面に出力できる。
【００８５】
また、第３サーバー装置２３は、家電機器４０の登録結果を家電機器４０に伝送することもできる（ｓ２２１）。家電機器４０は、登録結果を受信し、登録結果受信に応じて第２アクセストークンを要請する要請信号を第３サーバー装置２３に伝送できる。第３サーバー装置２３は、家電機器４０の要請信号に応じて家電機器４０のネットワーク連結の接続権限と関連した第２アクセストークンを家電機器４０に伝送できる（ｓ２２３）。実施例によって、第３サーバー装置２３ではない他のサーバー装置２１、２２が第２アクセストークン要請信号を受信し、第２アクセストークンを家電機器４０等に伝送することもできる。のみならず、第２アクセストークン要請信号受信及び伝送は、図示しない他の装置によって行われることもできる。家電機器４０から第３サーバー装置２３に伝送される各種データ及び第３サーバー装置２３から家電機器４０に伝達される各種データは、伝送される前に暗号化された後、伝送され得る。第２アクセストークンの受信によって、家電機器４０は、アクセスポイント装置３０を介して外部網に連結され得る。図１２は、家電機器設定途中に端末装置に表示され得る画面の一例を示す図である。一実施例によれば、家電機器４０が外部網に連結された場合、家電機器４０は、第１端末装置１０に外部網連結成功に対する情報を送信できる。第１端末装置１０は、外部網連結成功に対する情報受信に応じて表示部に図１２に示されたように連結完了と関連した画面ｄを表示できる。連結完了と関連した画面ｄは、連結完了メッセージｄ１を含むことができる。
【００８６】
一実施例によれば、第１端末装置１０は、家電機器４０にテスト実行要請のためのテスト実行要請信号を送信できる（ｓ２３０）。家電機器は、テスト実行要請信号に応じてネットワーク連結可否、ネットワーク連結の安定性及びネットワーク速度のうち少なくとも１つに対するネットワーク連結テストを行うことができる（ｓ２３１）。テスト決定結果は、第１端末装置１０に送信され得る（ｓ２３２）。
【００８７】
家電機器４０は、以上前述した方法のように、家電機器４０がアクセスポイント装置３０に接続されるか、またはネットワーク連結テストが終了した場合、家電機器４０は、アクセスポイント装置３０を介して外部ネットワークに接続して通信を行うことができる（ｓ２４０）。この場合、家電機器４０は、第２アクセストークンによって外部ネットワークに接続できる。
【００８８】
以下、図１３及び図１４を参照して、第１端末装置と異なる第２端末装置を利用して家電機器のネットワーク連結を設定する方法について説明する。
【００８９】
図１３は、第２端末装置を利用した家電機器のネットワーク連結方法の一実施例を示す流れ図である。図１３に示されたように、第１端末装置１０と異なる第２端末装置１１を利用して家電機器のネットワーク連結を設定することもできる。この場合、一実施例によれば、家電機器４０は、アクセスポイント装置３０と連結されてもよい（ｓ３２０）。家電機器４０は、第１端末装置１０及び第２端末装置１１のうち少なくとも１つから受信した認証キー及びアクセスポイント装置３０の識別番号を利用してアクセスポイント装置３０の接続権限を獲得した後、獲得した接続権限を利用してアクセスポイント装置３０と連結されることもできる。第２端末装置１１を利用して家電機器のネットワーク連結設定のために第２端末装置１１でアプリケーションが実行され得る（ｓ３００）。アプリケーションは、第１サーバー装置２１から受信及び設置されたものであることができる。アプリケーションが実行されると、第２端末装置１１は、ユーザを認証するための認証情報の入力を受け、入力を受けたユーザ認証情報を第３サーバー装置２３に伝送できる（ｓ３０１）。ユーザ認証情報は、ユーザ識別番号及び認証用パスワードのうち少なくとも１つを含むことができる。ユーザ認証情報は、前述した段階ｓ１０２で第１端末装置１０に伝送された認証情報と同一であってもよく、異なってもよい。第２端末装置１１は、ユーザからユーザ識別番号及び認証用パスワードの入力を受けることもできる。この場合、第２端末装置１１は、表示部にユーザ識別番号及び認証用パスワードの入力を受けるための入力窓を表示することもできる。第２端末装置１１は、ユーザ識別番号及び認証用パスワードをあらかじめ格納していてもよい。ユーザ認証情報は、第３サーバー装置２３に伝送される前に保安のために暗号化されることもできる。第３サーバー装置２３は、認証情報を受信し、受信した認証情報に基づいてユーザ認証を行った後、ユーザ認証に成功すれば、家電機器４０のネットワーク設定権限と関連した第１アクセストークンを第２端末装置１１に伝送できる（ｓ３０２）。
【００９０】
第２端末装置１１は、第１アクセストークンを受信すると、第２サーバー装置２２にユーザ情報伝送を要請できる（ｓ３０３）。ユーザ情報は、家電機器４０のネットワーク連結設定のために必要な各種情報及び権限を含むことができる。実施例によって、第１アクセストークンを第２サーバー装置２２に伝送し、家電機器４０に接続する権限を要請できる。第２サーバー装置２２は、ユーザ情報伝送要請信号を受信し、ユーザ情報伝送要請信号に応じてユーザ情報を第２端末装置１１に伝送できる（ｓ３０４）。ユーザ情報を受信すると、第２端末装置１１は、第２端末装置１１の表示部に設定関連画面を表示できる（ｓ３１０）。図１３に示されたように、第２端末装置１１は、別にアクセスポイント装置４０に対する認証キーの入力を受けなくてもよい。したがって、ユーザは、一度認証キーを利用して認証した後には、別途の認証キー入力段階なしに簡単に家電機器４０をネットワークに連結させることができる。
【００９１】
設定関連画面が表示された後（ｓ３１０）、第２端末装置１１は、第２アクセストークン伝送要請信号を第３サーバー装置２３に伝送できる（ｓ３１１）。実施例によって、第２端末装置１１は、第３サーバー装置２３ではない他のサーバー２１、２２に第２アクセストークンを要請することもできる。第３サーバー装置２３は、第２アクセストークン伝送要請信号を受信し、第２アクセストークン伝送信号要請に応じて第２アクセストークンを家電機器４０に伝送できる（ｓ３１２）。この場合、第２アクセストークンは、アクセスポイント装置３０を介して家電機器４０に伝送され得る。家電機器４０は、第２アクセストークンを受信し、受信した第２アクセストークンによって外部のネットワークと連結され得る。家電機器４０は、アクセスポイント装置３０に接続し、接続したアクセスポイント装置３０を介して外部のネットワークと連結され得る。
【００９２】
図１４は、第２端末装置を利用した家電機器のネットワーク連結を設定する過程で外部端末装置に表示される画面の一例を示す図である。第２端末装置１１が第２サーバー装置２２と通信を行うか（ｓ３０３及びｓ３０４）、または家電機器４０のネットワーク連結を設定する場合、第２端末装置１１は、図１４に示されたような認証画面ｆを表示できる。認証画面ｆ１は、第２端末装置１１の表示部に表示される設定関連画面であることができる。認証画面ｆは、権限認証のためにユーザが必要な行動に対する説明を表示する表示窓ｆ１を含むことができる。表示窓ｆ１は、次期段階の進行及び取り消し可否に対するユーザの指示の入力を受けるために確認ボタンｆ２及び取り消しボタンｆ３を含むことができる。
【００９３】
以下、図１５〜図１９を参照して複数の家電機器のネットワーク連結方法について説明する。図１５は、複数の家電機器のネットワーク連結方法の一実施例を示す流れ図である。図１６〜図１９は、複数の家電機器のネットワーク連結を設定する過程において外部端末装置に表示される画面の一例を示す図である。図１５に示されたように、複数の家電機器のネットワーク連結方法によれば、まず、第１端末装置１０が図１６に示されたように、グループデータ生成画面ｇを表示できる。グループデータ生成画面ｇは、複数の家電機器をグループ化し、少なくとも１つのグループデータを生成するために、ユーザに表示される画面である。グループデータ生成画面ｇは、複数の家電機器を示す選択手段ｇ１〜ｇ３を含むことができる（ｓ４００）。また、グループデータ生成画面ｇは、新しい家電機器を追加するための追加手段ｇ４、家電機器のグループ化のためのグループデータ生成手段ｇ５及び生成されたグループデータを呼び出すための集団呼び出し手段ｇ６を含むこともできる。選択手段ｇ１〜ｇ３、追加手段ｇ４、グループデータ生成手段ｇ５及び集団呼び出し手段ｇ６は、ユーザが直観的にその機能を把握できる所定のイメージで具現され得る。第１端末装置１０がタッチスクリーンにグループデータ生成画面ｇを表示する場合、ユーザは、グループデータを生成するためにグループデータ生成手段ｇ５をタッチ操作し、グループデータの生成を開始できる。第１端末装置１０は、グループデータ生成手段ｇ５のタッチ操作に応じて図１７に示されたように家電機器選択画面ｇｇを表示できる。家電機器選択画面ｇｇが表示されれば、ユーザは、家電機器選択画面ｇｇに表示された複数の選択手段ｇ１〜ｇ３のうち少なくとも１つをタッチ操作することによって、複数の家電機器のうち少なくとも１つの家電機器を選択できる（ｓ４１０）。この場合、ユーザによって選択された家電機器ｇ２、ｇ３と選択されない他の家電機器ｇ１を識別できるように、家電機器ｇ２、ｇ３に特有の標識ｇ２１、ｇ３１がさらに表示され得る。例えば、図１７に示されたように、家電機器ｇ２、ｇ３の周辺に点線等の標識ｇ２１、ｇ３１がさらに表示され得る。実施例によって、ユーザにより選択された家電機器ｇ２、ｇ３と選択されない他の家電機器ｇ１を識別するために選択された家電機器ｇ２、ｇ３の色相が変更されるか、または家電機器ｇ２、ｇ３がちらつくようなアニメーション効果がさらに表示されることも可能である。このように、少なくとも１つの家電機器ｇ２、ｇ３が選択されれば、第１端末装置１０は、選択された少なくとも１つの家電機器をグループ化し（ｓ４２０）、選択された少なくとも１つの家電機器を含むグループデータを生成できる（ｓ４３０）。第１端末装置１０は、グループデータが生成されれば、図１８に示されたように、グループデータ生成画面ｇに生成されたグループデータに対応するグループデータ選択手段ｇ７を画面にさらに表示できる。グループデータ選択手段ｇ７は、所定のイメージ形態で表示されることもできる。グループデータ選択手段ｇ７は、複数の家電機器のグループであることを示すことができるように、フォルダイメージで表示されることもできる。
【００９４】
ユーザが家電機器４０、４０ａのネットワーク連結を設定する場合、ユーザは、少なくとも１つの家電機器を含むグループデータ選択手段ｇ７または集団呼び出し手段ｇ６をタッチ操作することによって、少なくとも１つの家電機器４０、４０ａを選択した後、少なくとも１つの家電機器４０、４０ａのネットワーク連結設定を同時に行うこともできる。この場合、ユーザは、グループデータを選択し、グループデータ内のすべての家電機器または一部の家電機器を選択できる（ｓ４００）。ユーザがグループデータ選択手段ｇ７または集団呼び出し手段ｇ６をタッチ操作すれば、第１端末装置１０は、図１９に示されたように、少なくとも１つの家電機器ｇ８、ｇ９を示す画像が表示され得るグループ選択窓ｇ８を表示できる。ユーザは、グループ選択窓ｇ８から一部の家電機器ｇ９を選択するか、またはすべての家電機器ｇ９、ｇ１０を選択し、グループデータ内のすべての家電機器または一部の家電機器を選択できる。選択された家電機器４０、４０ａは、前述したように、アクセスポイント装置３０と連結され（ｓ４５０）、外部網に接続され得る（ｓ４６０）。
【産業上の利用可能性】
【００９５】
前述した家電機器、家電機器のネットワーク連結システム及び家電機器のネットワーク連結方法は、宅内または産業現場で家電機器等をネットワーク連結するのに利用され得るので、産業上の利用可能性がある
【図１】
0006698027.tif 000002
【図２】
0006698027.tif 000003
【図３】
0006698027.tif 000004
【図４】
0006698027.tif 000005
【図５】
0006698027.tif 000006
【図６】
0006698027.tif 000007
【図７】
0006698027.tif 000008
【図８】
0006698027.tif 000009
【図９】
0006698027.tif 000010
【図１０】
0006698027.tif 000011
【図１１】
0006698027.tif 000012
【図１２】
0006698027.tif 000013
【図１３】
0006698027.tif 000014
【図１４】
0006698027.tif 000015
【図１５】
0006698027.tif 000016
【図１６】
0006698027.tif 000017
【図１７】
0006698027.tif 000018
【図１８】
0006698027.tif 000019
【図１９】
0006698027.tif 000020